(57)【要約】【課題】  ロック式ヒンジのロックが不本意に解除されることがなく、またヒンジ本体を堅固にロックすることができるようにする。【解決手段】  開口物体１にこの物体１を開閉する扉体２をロックするロック機構５０は、物体１側の座金２０内を前後運動するが通常ではロック位置にばね付勢されるロックピン５１と、ヒンジ本体３０の取付ブラケット３２を座金２０に挿入するに応じてロックピン５１が乗り上げられ次いでロックピン５１が係止されるロックピン乗り上げ係止部５２と、ロックピン５１をロック解除方向に移動するようにロックピン５１が係入する傾斜スロット５６Ｓ、５６’Ｓを有するロック解除スイッチ５３とから成り、ロック解除スイッチ５３が押されると、ロックピン５１が持ち上げられてロックを解除する。【選択図】        図４
2006070646.tif 000002
【特許請求の範囲】
【請求項１】
開口物体の開口付近の内面に取り付けられる座金と前記開口物体の開口を開閉する扉体の内面に取り付けられ前記座金内に挿入されて支持される取付ブラケットを有するヒンジ本体と前記ヒンジ本体を前記座金に着脱自在にロックするロック機構とを備えたロック式ヒンジにおいて、前記ロック機構は、前記座金の支持スロットに沿って前後運動することができるが通常ではロック位置に向けてばね付勢されるロックピンと、前記ヒンジ本体の前記取付ブラケットに設けられ前記取付ブラケットの挿入に応じて移動して前記ロックピンが乗り上げられその後前記ロックピンが係止されるロックピン乗り上げ係止部と、前記取付ブラケットの挿入方向に可動自在に配置され前記支持スロットに沿って前記ロックピンをロック解除方向に移動するように前記ロックピンが係入する傾斜スロットを有するロック解除スイッチとから成っていることを特徴とするロック式ヒンジ。
【請求項２】
請求項１に記載のロック式ヒンジであって、前記座金の支持スロットは、前記座金の１対の相対する壁に設けられていることを特徴とするロック式ヒンジ。
【請求項３】
請求項１又は２に記載のロック式ヒンジであって、前記ロックピン乗り上げ係止部は、前記ヒンジ本体の前記取付ブラケットの相対する壁に設けられていることを特徴とするロック式ヒンジ。
【請求項４】
請求項２に記載のロック式ヒンジであって、前記ロック解除スイッチは、前記座金の相対する１対の壁に沿って移動する１対の可動壁から成り、前記傾斜スロットは、前記１対の可動壁に設けられ、且つ前記ロック解除スイッチは、前記ロックピンが前記傾斜スロットに沿ってロック方向に案内されるようにばね付勢されていることを特徴とするロック式ヒンジ。
【請求項５】
請求項１乃至４のいずれかに記載のロック式ヒンジであって、前記ロックピン乗り上げ係止部は、前記ヒンジ本体の取付ブラケットの挿入側の前端に設けられて前記ロックピンを前記ロック解放方向に案内する傾斜案内部分と前記ヒンジ本体が完全に座金に挿入された位置で前記ロックピンが係入される係入溝とから成っていることを特徴とするロック式ヒンジ。
【発明の詳細な説明】
【技術分野】
【０００１】
本発明は、箱体の如き開口物体とこの物体の開口を開閉する扉体とをワンタッチでヒンジ止めすることができるヒンジに関し、特に扉体が開口物体に所定通り支持された状態でヒンジが開口物体から抜け止めされるロック式ヒンジの改良に関するものである。
【背景技術】
【０００２】
例えば、箱体（開口物体）の開口に扉体を開閉自在に支持するロック式ヒンジは、箱体の開口付近の内面に取り付けられる座金と、扉体の内面に取り付けられ開口物体の座金内に挿入されて支持される取付ブラケットを有するヒンジ本体と、この取付ブラケットを座金に着脱自在にロックするロック機構とを備えている。
【０００３】
従来技術のロック式ヒンジにおいて、ロック機構は、座金に枢支されたロックレバーから成り、このロックレバーは、ヒンジ本体の取付ブラケットが座金に挿入されると、ロックレバーの先端の係止爪が取付ブラケットの抜止孔に係入してヒンジ本体の取付ブラケットを座金にロックしているが、このロックを解除するために係止爪を抜止孔から抜き出すためのロック解除操作部分が座金から箱体の内側に張り出しており、従って箱体内の収納物がこのロック解除操作部分を不本意に押してロックレバーの係止爪が抜止孔から脱出し、ロックが外れる虞があった（特許文献１及び２参照）。
【０００４】
また、これらの従来技術のロック機構は、ロック機能を有する係止爪が抜止孔に対して孔の軸線方向の運動ではなく、レバー運動によって嵌脱するので、係止爪と抜止孔とは若干の隙間が必要となり、ヒンジ本体の取付ブラケットをがたつきを生ずることなく堅固にロックすることができない欠点があった。
【０００５】
【特許文献１】特開昭６２−６８９８１号公報
【特許文献２】実開昭５７−１９９６７６号公報
【発明の開示】
【発明が解決しようとする課題】
【０００６】
本発明が解決しようとする１つの課題は、ロック解除操作部分が開口物体内に張り出すことがなく、従ってヒンジ本体の取付ブラケットのロックが不本意に解除されることがないロック式ヒンジを提供することにある。
【０００７】
本発明が解決しようとする他の課題は、ヒンジ本体の取付ブラケットにがたつきを生ずることなく、座金に取付ブラケットを堅固にロックすることができるロック式ヒンジを提供することにある。
【課題を解決するための手段】
【０００８】
本発明の課題解決手段は、開口物体の開口付近の内面に取り付けられる座金とこの開口物体の開口を開閉する扉体の内面に取り付けられ座金内に挿入されて支持される取付ブラケットを有するヒンジ本体とこのヒンジ本体の取付ブラケットを座金に着脱自在にロックするロック機構とを備えたロック式ヒンジにおいて、ロック機構は、座金の支持スロットに沿って前後運動するが通常ではロック位置に向けてばね付勢されるロックピンと、ヒンジ本体の取付ブラケットの相対する壁に設けられこの取付ブラケットの挿入に応じて移動してロックピンが乗り上げられその後ロックピンが係止されるロックピン乗り上げ係止部と、ヒンジ本体の取付ブラケットの挿入方向に可動自在に配置され支持スロットに沿ってロックピンをロック解除方向に移動するようにロックピンが係入する傾斜スロットを有するロック解除スイッチとから成っていることを特徴とするロック式ヒンジを提供することにある。
【０００９】
本発明の課題解決手段において、好ましくは、座金の支持スロットは、座金の１対の相対するに設けられ、また、ロックピン乗り上げ係止部は、ヒンジ本体の取付ブラケットの相対する壁に設けられ、またロック解除スイッチは、座金の相対する１対の壁に沿って移動する１対の可動壁から成り、傾斜スロットは、この１対の可動壁に設けられ、且つロック解除スイッチは、ロックピンが傾斜スロットに沿ってロック方向に案内されるようにばね付勢されている形態とすることができる。
【００１０】
また、本発明の課題解決手段において、ロックピン乗り上げ係止部は、好ましい形態では、ヒンジ本体の挿入側の前端に設けられてロックピンをロック解放方向に案内する傾斜案内部分とヒンジ本体の取付ブラケットが完全に座金に挿入された位置でロックピンが係入される係入溝とから成っている。
【発明の効果】
【００１１】
本発明によれば、上記のように、ロック機構を解除操作する操作部分は、ヒンジ本体が座金に挿入される方向に進退するロック解除スイッチから成っているので、ロック解除操作部分が開口物体内に張り出すことがなく、従って開口物体内の収納物に触れてヒンジ本体のロックが不本意に解除されることがなく、扉体を確実に開口物体に支持することができる。
【００１２】
また、ロック機構の係止部分（ロックピン）は、レバー運動ではなく、係止溝に軸線運動して嵌脱するので、係止部分に隙間が生ずることがなく、ヒンジ本体の取付ブラケットをがたつきを生ずることなく座金にロックすることができる。
【発明を実施するための最良の形態】
【００１３】
本発明の実施の形態を図面を参照して詳細に述べると、図１乃至図３、は、本発明に係るロック式ヒンジ１０の一例の組立状態が示されており、このロック式ヒンジ１０は、開口物体（箱体）１の開口付近の内面に取り付けられる座金２０と開口物体１の開口を開閉する扉体２（図１２乃至図１４参照）の内面に取り付けられるヒンジ本体３０とから成っている。
【００１４】
図１乃至図３及び図１１乃至図１４に示すように、開口物体１は、内外の壁W１、W２を有し、開口付近でこれらの内外の壁W１、W２の間で座金取付け用の内部空間１Vを形成している。
【００１５】
座金２０は、底板２１とこの底板２１から立ち上がるように延びる１対の相対する壁２２、２２'とこれらの相対する壁２２、２２'の縁から外向きに水平に延びる１対の取付け鍔２３、２３'と、取付け鍔２３、２３'とは底板２１に対する高さ位置を異にして設けられた取付け座２４、２４'とから成っている。この座金２０は、底板２１が物体１の外壁W２の内面に係合し、取付け鍔２３、２３'及び取付け座２４,２４'が物体２１の内壁W１の内面に係合するように、物体１の内部空間１Vに配置されている。この座金２０は、取付け鍔２３、２３'に対応して開口物体１の壁に設けられたねじ孔１Hを貫通する取付けねじ（図示せず図）を取付け鍔２３、２３'のねじ孔２３H、２３'Hにねじ込んで開口物体１に取り付けられている。取付け鍔２３,２３'が取付け座２４,２４'とは異なる高さ位置に設けられているのは、ねじ孔１Hが開口物体１の壁の内面よりもへこんだ面に設けられているためであり、これによってので、取付け鍔２３,２３'と取付け座２４，２４'とは、開口物体１の内壁W1に密接して取り付けられる。
【００１６】
図１乃至図３及びに示すように、開口物体１の内部空間１Vの端面には、後に述べるヒンジ本体３０が挿入されるべき窓１Wが設けられ、またこの窓１Wに連続して後に述べるロック解除スイッチの動きを許すように設けられた切欠き１Nを有する。
【００１７】
ヒンジ本体３０は、扉体２の内面に取り付けられるソケット３１と座金２０に挿入されて座金２０に取り付けられるべき取付ブラケット３２とソケット３１と取付ブラケット３２とを枢動自在に連結するリンク機構４０とから成っている。
【００１８】
ソケット３１は、図１２に示すように、扉体２の内面凹部２Ｒ（図１２参照）内に配置されてその鍔３３Ｆ、３３'Ｆを扉体２の内面にねじ止めして固定されている。取付ブラケット３２は、開口物体１の窓１Wから座金２０内に挿入されるべき幅狭の挿入部分３２Ｓを有し、この挿入部分３２Ｓが座金２０内に完全に挿入されると、後に述べるロック機構が働いてヒンジ本体３０の取付ブラケット３２が座金２０にロックされる。なお、ソケット３１、取付ブラケット３２は、いずれも断面Ｕ字状の形態を有し、その底板３１Ｂ、３２Ｂから１対の相対する壁３３、３３'、３４、３４'が垂直に延びて形成されている。ソケット３１の鍔３３Ｆ、３３'Ｆは、相対する壁３３、３３'から延びている。
【００１９】
リンク機構４０は、第１乃至第３のリンクアーム４１、４２、４３から成り、第１のリンクアーム４１の一端４１Ａは、取付ブラケット３２にピンＰ１で枢支され、逆Ｕ字形の他端４１Ｂは、ピンＰ２でソケット３１の先端に枢支され、第２のリンクアーム４２は、この第１のリンクアーム４２の中間部分と取付ブラケット３２にピンＰ３、Ｐ４によって枢支され、第３のリンクアーム４３は、第２のリンクアーム４２の先端とソケット３１の中間部分とにピンＰ５、Ｐ６によって枢支されている。
【００２０】
第１のリンクアーム４１を取付ブラケット３２に枢支するピンＰ１は、取付ブラケット３２の相対する壁３４、３４'にその長手方向に延びるように設けられた長い案内溝３４Ｇ、３４'Ｇを貫通しており、第１のリンクアーム４１は、この案内溝３４Ｇ、３４'Ｇに案内されながら摺動する。
【００２１】
このリンク機構４０は、ソケット３１が取り付けられた扉体２が座金２０が取り付けられた開口物体１に対して直角に位置するように折り畳まれた扉閉位置（図１３参照）から扉体２が開口物体１の側壁に略平行に位置するように展開した扉半開位置（図１２参照）を経て扉体２が開口物体１の側壁に対して１８０度開くように更に展開した扉完全開位置（図１４参照）まで扉体２を移動するようにリンク運動される。このリンク機構４０自体は、従来技術のものと同じであるので、これ以上の詳細な説明は省略する。
【００２２】
ロック式ヒンジ１０は、ヒンジ本体３０の取付ブラケット３２を座金２０に着脱自在にロックするロック機構５０を備えているが、このロック機構５０は、座金２０の１対の相対する壁２２、２２'の支持スロット２２Ｓ、２２'Ｓに係入されたロックピン５１と、ヒンジ本体３０の取付ブラケット３２の相対する壁３４、３４'に設けられ取付ブラケット３２の座金２０への挿入に応じてロックピン５１が乗り上げられその後このロックピン５１が係止されるロックピン乗り上げ係止部５２と、ヒンジ本体３０の取付ブラケット３２の挿入方向に可動自在に配置され支持スロット２２Ｓ、２２'Ｓに沿ってロックピン５１をロック解除方向に移動するようにこのロックピン５１が係入する傾斜スロット５６Ｓ、５６'Ｓを有するロック解除スイッチ５３とから成っている。
【００２３】
ロックピン５１は、図１、図５乃至図１０に示すように、ばね５４によって通常では支持スロット２２Ｓ、２２'Ｓの奥（ロック位置）に向けて付勢されている。なお、ばね５４は、壁２２、２２'間に掛け渡されたロッド５４Ｒに巻き付けられている。
【００２４】
ロックピン乗り上げ係止部５２は、図５乃至図１０に示すように、ヒンジ本体３０の取付ブラケット３２の挿入側の前端に設けられてロックピン５１をロック解放方向（上記の図の上向き）に案内する傾斜案内部分（傾斜案内面）５２Ｓとヒンジ本体３０の取付ブラケット３２が完全に座金２０に挿入された位置（図７及び図１０参照）でロックピン５１が係入される係入溝５２Ｇとから成っている。
【００２５】
ロック解放スイッチ５３は、座金２０の相対する１対の壁２２、２２'の外側面に沿って移動する１対の可動壁５６、５６'から成り、傾斜スロット５６Ｓ、５６'Ｓは、この１対の可動壁５６、５６'にそれぞれ設けられている。１対の可動壁５６、５６'は、その前端を連結壁５７で連結されている。従って、このロック解放スイッチ５３は、図２及び図３に示すように、座金２０と共に開口物体１の内部空間１Ｖ内に配置されている。
【００２６】
このロック解放スイッチ５３は、可動壁５６、５６'の端面に設けられて座金２０の１対の取付け鍔２３、２３'の根元に形成された案内スロット２３Ｓ、２３'Ｓに係入する案内突起５６Ｐ、５６'Ｐを有し、可動壁５６、５６'は、図示しないばねによって通常ではヒンジ本体３０の挿入方向とは反対方向に付勢されてロックピン５１が傾斜スロット５６Ｓ、５６'Ｓの斜めの下方位置に係合してロックピン５１のロック位置を保持している（図１５（Ａ）参照）。このロック解放スイッチ５３は、図示しないばねに抗してヒンジ本体３０の挿入方向に押すと、ロックピン５１は、傾斜スロット５６Ｓ、５６'Ｓの傾斜面に沿って支持スロット２２Ｓ、２２'Ｓ内でロック解放方向に案内されてロックピン５１が係入溝５５から外される。なお、図面において、符号５８,５８'は、ロック解放スイッチ５３をばねに抗してロック解放方向に押すためのボタンである。
【００２７】
次に、上記のロック式ヒンジ１０の組立方法及び解体方法を述べると、図２及び図１１に示すように、開口物体（箱体）１の開口付近の内外の壁Ｗ１、Ｗ２の内部空間１Ｖに座金２０を取付け、また図１２の右半部に示すように、この開口物体１の開口を開閉する扉体２の内面の相応する位置にヒンジ本体３０のソケット３１を取り付ける。
【００２８】
この状態で、扉体２を開口物体１の開口に近づけながら、扉体２に取り付けられたヒンジ本体３０の取付ブラケット３２を開口物体１の窓１Ｗから開口物体１内に取り付けられた座金２０内に挿入する（図５及び図８参照）。
【００２９】
ヒンジ本体３０の取付ブラケット３２を座金２０内に順次深く挿入すると、図６及び図９に示すように、取付ブラケット３２の先端のピン乗り上げ係止部５２の傾斜案内部分（案内面）５２Ｓがロックピン５１に係合して傾斜案内部分５２Ｓの前進に伴ってロックピン５１がばね５４に抗して傾斜案内面５２Ｓの傾斜に沿って持ち上げられる。
【００３０】
取付ブラケット３２が更に前進すると、図７及び図１０に示すように、ロックピン５１がピン乗り上げ係止部５２の係入溝５２Gに相対するため、ばね５４によってロックピン５１が係入溝５２Gに係入してヒンジ本体３０の取付ブラケット３２が座金２０内にロックされる。
【００３１】
従って、図１３、図１２及び図１４に示すように、扉体２は、開口物体１の開口を開閉することができる。ヒンジ本体３０は、既に述べたように、第１のリンクアーム４１が取付ブラケット３２内を摺動するスライド式リンク機構４０であるので、扉体２は、図１３に示す開口物体１を閉じた状態から図１２に示すようにヒンジ本体３０が展開して開口物体１から扉体２が若干離れるように開き、更に開口物体１から１８０度の位置まで開くことができる。
【００３２】
扉体２を開口物体１から取り外す際には、ロック解除スイッチ５３のボタン５８，５８'をヒンジ本体３０の挿入方向に押す。このようにすると、ロック解除スイッチ５３の１対の可動壁５６、５６'が同方向に移動し、このため、傾斜スロット５６Ｓ、５６'が図１５（Ａ）乃至（Ｃ）に示すようにロックピン５１をばね５４に抗して持ち上げる方向に移動し、ロックピン５１を係止溝５２Ｇから脱出する。従ってこの状態で扉体２を開口物体１から離すように引くことによって扉体２を開口物体１から取り外すことができる。
【００３３】
このように、ロック機構４０を解除操作するロック解除スイッチ５３は、ヒンジ本体３０が座金２０に挿入される方向に進退するので、従来技術のように、ロック解除操作部分が開口物体１内に張り出すことがなく、従って開口物体１内の収納物に触れてヒンジ本体３０のロックが不本意に解除されることがないことが解る。
【００３４】
また、ロック機構４０のロックピン５１は、レバー運動ではなく、係止溝５５内を垂直運動して嵌脱するので、ロックピン５１と係入溝５２Ｇとの間に隙間が生ずることがなく、ヒンジ本体３０の取付ブラケット３２が座金２０内でがたつきを生ずることなく座金２０に堅固にロックすることができることが解る。
【産業上の利用可能性】
【００３５】
ロック式ヒンジのロック機構のロックを解除する操作部分が開口物体の内面から張り出すことがないので、開口物体内の収納物によって不本意にロック解除が行われることがなく、またロック機構のロックピンは、ロックピン係止部分にレバー運動ではなく直線運動で嵌脱するので、この係合部分にがたつきを生ずることがなく、堅固にロックすることができるので、産業上の利用性が向上する。
【図面の簡単な説明】
【００３６】
【図１】本発明に係るロック式ヒンジの組み付け前の状態の斜視図である。
【図２】図１のロック式ヒンジの座金を開口物体に取り付けた状態の斜視図である。
【図３】図１のロック式ヒンジの組み立て状態の斜視図である。
【図４】図１のロック式ヒンジの分解状態の斜視図である。
【図５】図１のロック式ヒンジの一部を破断してヒンジ本体の取付ブラケットを座金に挿入し始めた状態の斜視図である。
【図６】図５とほぼ同じであるが、取付ブラケットが更に挿入されてロック機構が動作し始める状態の斜視図である。
【図７】図５、図６とほぼ同じであるが、取付ブラケットが更に挿入されてロック機構がロック位置となった状態の斜視図である。
【図８】図５と同じ状態の側断面図である。
【図９】図６と同じ状態の側断面図である。
【図１０】図７と同じ状態の側断面図である。
【図１１】開口物体に座金とロック解除スイッチとを取り付けた状態の斜視図である。
【図１２】開口物体に座金に扉体のヒンジ本体の取付ブラケットを挿入してロックして扉体を半開きとした状態の斜視図である。
【図１３】図１２の状態から扉体を閉じた状態の斜視図である。
【図１４】図１２の状態から逆に扉体を完全に開いた状態の斜視図である。
【図１５】ロック機構の指示スロットとロック解除スイッチの傾斜スロットとロックピンとの関係を示し、同図（Ａ）は、ロック状態の断面図、同図（Ｂ）は、ロックを外す途中の断面図、同図（Ｃ）は、ロックを外した状態の断面図である。
【符号の説明】
【００３７】
１  開口物体
１Ｈ  ねじ孔
１Ｎ  切欠き
１Ｗ  窓
Ｗ１、Ｗ２  内外の壁
１Ｖ  内部空間
２  扉体
２Ｒ  凹部
１０  ロック式ヒンジ
２０  座金
２１  底板
２２、２２'  壁
２２Ｓ、２２'Ｓ  支持スロット
２３、２３'  取付け鍔
２３Ｈ、２３'Ｈ  ねじ孔
２４、２４'  取付け座
３０  ヒンジ本体
３１  ソケット
３１Ｂ  底板
３２  取付ブラケット
３２Ｂ  底板
３２Ｓ  挿入部分
３３、３３'、３４、３４'  壁
３４Ｇ、３４'Ｇ  案内溝
４０  リンク機構
４１、４２，４３  第１乃至第３のリンクアーム
４１Ａ、４１Ｂ  第１のリンクアームの端部
５０  ロック機構
５１  ロックピン
５２  ロックピン乗り上げ係止部
５２Ｓ  傾斜案内部分
５２Ｇ  係入溝
５３  ロック解除スイッチ
５４  ばね
５４Ｒ  ロッド
５６、５６'  可動壁
５６Ｓ、５６'Ｓ  傾斜スロット
５６Ｐ、５６'Ｐ  案内突起
５８、５８'  ボタン
Ｐ１乃至Ｐ６  ピン
【図１】
2006070646.tif 000003
【図２】
2006070646.tif 000004
【図３】
2006070646.tif 000005
【図４】
2006070646.tif 000006
【図５】
2006070646.tif 000007
【図６】
2006070646.tif 000008
【図７】
2006070646.tif 000009
【図８】
2006070646.tif 000010
【図９】
2006070646.tif 000011
【図１０】
2006070646.tif 000012
【図１１】
2006070646.tif 000013
【図１２】
2006070646.tif 000014
【図１３】
2006070646.tif 000015
【図１４】
2006070646.tif 000016
【図１５】
2006070646.tif 000017